(57)【要約】【課題】本発明は、安定性が高く、製造コストを低く抑えることができる和式便器用椅子を提供することを課題とする。【解決手段】和式便器の上に据え付けられる和式便器用椅子２であって、座面部３と周胴部４とからなり、該周胴部４の左右側下縁には該和式便器用椅子２を該和式便器の上に横向きに据え付けたときに該和式便器の左右側突縁を収容する切欠き部５が設けられており、該周胴部４の後部下縁には該和式便器の前覆い部を収容する収容凹部７が設けられている和式便器用椅子２を提供する。この場合、該切欠き部５には切欠きカバー６が着脱可能に取り付けられており、該収容凹部７には凹部カバー８が着脱可能に取り付けられている。【選択図】    図１
2006087721.tif 000002
【特許請求の範囲】
【請求項１】
和式便器の上に据え付けられる和式便器用椅子であって、座面部と周胴部とからなり、該周胴部の左右側下縁には該和式便器用椅子を該和式便器の上に横向きに据え付けたときに該和式便器の左右側突縁を収容する切欠き部が設けられており、該周胴部の後部下縁には該和式便器の前覆い部を収容する収容凹部が設けられていることを特徴とする和式便器用椅子。
【請求項２】
該切欠き部には切欠きカバーが着脱可能に取り付けられており、該収容凹部には凹部カバーが着脱可能に取り付けられている請求項１に記載の和式便器用椅子。
【請求項３】
該座面部には中央孔が設けられており、該中央孔からはガイド筒が垂設されており、該ガイド筒の下端開口部は略四角形状とされている請求項１または請求項２に記載の和式便器用椅子。
【発明の詳細な説明】
【技術分野】
【０００１】
本発明は、和式便器の上に据え付けられる和式便器用椅子に関する。
【背景技術】
【０００２】
従来、和式便器の上に据え付けられる和式便器用の椅子として、和風便器を覆って床に固定される固定部本体と、該固定部本体に対して任意の方向に取付け可能に固着された筒状体の回転部本体とを有する和風便器用洋風腰掛が提供されている。
上記の和風便器用洋風腰掛では、固定部本体に対して回転部本体を回動させて、狭いトイレの部屋に合わせて任意に向きを変更することができる（特許文献１参照）。
【０００３】
【特許文献１】実公昭６２−３６４８０号公報（第１−２頁、第１図）
【発明の開示】
【発明が解決しようとする課題】
【０００４】
しかしながら上記従来の構成では、固定部本体に対して回転部本体を回転させた場合、特に９０度回転させた場合に、和風便器用洋風腰掛の安定性が低下するという問題があった。また上記従来の構成では、固定部本体と回転部本体とがそれぞれ別体とされており、かつ、それら相互の取付け部分の構造が複雑であるため、製造コストが高くなるという問題があった。
【課題を解決するための手段】
【０００５】
本発明は上記従来の課題を解決するための手段として、和式便器１の上に据え付けられる和式便器用椅子２であって、座面部３と周胴部４とからなり、該周胴部４の左右側下縁には該和式便器用椅子２を該和式便器１の上に横向きに据え付けたときに該和式便器１の左右側突縁２８を収容する切欠き部５が設けられており、該周胴部４の後部下縁には該和式便器１の前覆い部２７を収容する収容凹部７が設けられている和式便器用椅子２を提供するものである。
該切欠き部５には切欠きカバー６が着脱可能に取り付けられており、該収容凹部７には凹部カバー８が着脱可能に取り付けられていることが望ましい。
また、該座面部３には中央孔９が設けられており、該中央孔９からはガイド筒１１が垂設されており、該ガイド筒１１の下端開口部１０は略四角形状とされていることが望ましい。
【発明の効果】
【０００６】
本発明の和式便器用椅子２では、該和式便器用椅子２を９０度回転させて使用した場合、すなわち、該和式便器用椅子２を和式便器１の上に横向きに据え付けた場合であっても、周胴部４の左右側下縁に設けられた切欠き部５が該和式便器１の左右側突縁２８に嵌合するので、該和式便器用椅子２の安定性が高い。また、本発明の和式便器用椅子２は一体品であり、構造がシンプルであるため、製造コストを低く抑えることができる。
【発明を実施するための最良の形態】
【０００７】
本発明を図１〜図８に示す一実施例によって説明する。
図１〜図３に示すように、和式便器１の上に据え付けられる和式便器用椅子２は、座面部３と周胴部４とを有している。該周胴部４の左右側下縁には略四角形状の切欠き部５が四個設けられており、該切欠き部５には該切欠き部５の形状に対応した略四角形状の切欠きカバー６がそれぞれ上下摺動可能かつ着脱可能に取り付けられている。
また、該周胴部４の後端下縁には略半円形状の収容凹部７が設けられており、該収容凹部７には該収容凹部７の形状に対応した略半円形状の凹部カバー８が上下摺動可能かつ着脱可能に取り付けられている。
【０００８】
一方、該座面部３の中央には中央孔９が設けられており、該中央孔９からは略四角形状の下端開口部１０を有するガイド筒１１が垂設されている。本実施例では、該ガイド筒１１の下端開口部１０の幅（対辺間寸法）は和式便器１の幅（左右側突縁２８の内寸）よりも小さく設定されており、排泄物等の汚物が和式便器１の外側に飛散するのを防止することができるようにされている。
また、該座面部３の上面後部にはヒンジ部１２が設けられており、該ヒンジ部１２を介して便座１３と便蓋１４が跳ね上げ可能に蝶着されている。なお、該ヒンジ部１２の内部にはオイルダンパー（図示せず）が設けられている。
更に、該座面部３の上面後縁には当接凸部１５が設けられており、便蓋１４を跳ね上げた場合に該便蓋１４の背面（上面）が該当接凸部１５に当接することにより、該跳ね上げた便蓋１４がそれ以上後側に倒れるのを防止している。
【０００９】
本実施例では、該周胴部４の左右前側部分には足引き凹部１６が設けられており、該足引き凹部１６によって使用者が立ち上がる際に足を引くためのスペースを確保されている。
また、該周胴部４の下部の四隅にはアンカーボルト孔１７が設けられており、該アンカーボルト孔１７を介してアンカーボルト（図示せず）をトイレの床面等に打ち込むことにより、該和式便器用椅子２を安定に固定することができる。
更に、該周胴部４の前側上縁部には手掛り凹部１８が設けられており、使用者は該手掛り凹部１８から手を差し入れて該便蓋１４を跳ね上げる際の手掛りとすることができる。
また更に、該周胴部４の下面の所定箇所にはゴム製の滑り止め部材（図示せず）が取り付けられている。
【００１０】
図４に示すように、該周胴部４の切欠き部５には係止板１９が設けられており、該係止板１９の中央部には係止孔２０が設けられている。一方、該切欠きカバー６の裏面の上縁中央部からは係止杆２１が垂設されており、該係止杆２１の下端部には係止爪２２が設けられている。
本実施例では、該切欠きカバー６の係止杆２１を該切欠き部５の係止板１９の係止孔２０内に挿通して、該切欠きカバー６を該切欠き部５に上側から摺動させて取り付けるようにされている。
そして、該切欠き部５に該切欠きカバー６を取り付けた状態では、該切欠きカバー６は上下摺動可能かつ着脱可能とされており、該切欠きカバー６が過度に上方に摺動しようとした場合には、該切欠きカバー６の係止杆２１の係止爪２２が該切欠き部５の係止板１９の係止孔２０の周縁に係止して、該切欠きカバー６が該切欠き部５から外れることが防止されている。
【００１１】
図５に示すように、該周胴部４の収容凹部７の左右両側下縁部には凸段部２３が設けられており、該凸段部２３の内側面には嵌合溝２４が凹設されている。一方、該凹部カバー８の左右両側下縁部には凹段部２５が設けられており、該凹段部２５の外側面には嵌合凸条２６が凸設されている。
本実施例では、該凹部カバー８の嵌合凸条２６を該収容凹部７の嵌合溝２４に嵌合させて、該凹部カバー８を該収容凹部７に上側から摺動させて取り付けるようにされている。該収容凹部７に該凹部カバー８を取り付けたとき、該凹部カバー８の凹段部２５と該収容凹部７の凸段部２３とは当接した状態とされている（図２参照）。
そして、該収容凹部７に該凹部カバー８を取り付けた状態では、該凹部カバー８は上下摺動可能かつ着脱可能とされている。
【００１２】
図６に示すように、上記の和式便器用椅子２を和式便器１の向きに沿って使用する場合には、周胴部４の切欠き部５に切欠きカバー６を取り付けるとともに、周胴部４の収容凹部７の凹部カバー８を取り外し、該和式便器１の前覆い部２７を該収容凹部７に嵌合して収容する。
このように該和式便器用椅子２を和式便器１に据え付けることにより、使用者は該和式便器用椅子２に腰掛けて、和式便器１を洋式便器のように使用することができる。
【００１３】
図７に示すように、上記の和式便器用椅子２を和式便器１の上に横向きに据え付ける場合には、周胴部４の収容凹部７に凹部カバー８を取り付け、該和式便器用椅子２を９０度回転させて和式便器１の上に据え付ける。このとき、図８に示すように、該切欠きカバー６は該和式便器１の左右側突縁２８に下側から押されて自然に上方に摺動し、該和式便器１の左右側突縁２８は該周胴部４の切欠き部５に嵌合して収容される。
このように該和式便器用椅子２を９０度回転させて和式便器１に据え付けることにより、トイレの部屋の構造や広さ等に制約がある場合であっても、使用者は該和式便器用椅子２に腰掛けて、和式便器１を洋式便器のように使用することができる。
この場合、該和式便器用椅子２の向きを変える作業は、該和式便器用椅子２を持ち上げて９０度回転させて再び据え付ければよいため、大きな労力を要することもなく容易である。
【００１４】
上記の和式便器用椅子２では、該和式便器用椅子２を９０度回転させて使用した場合、すなわち、該和式便器用椅子２を和式便器１の上に横向きに据え付けた場合であっても、周胴部４の左右側下縁に設けられた切欠き部５が該和式便器１の左右側突縁２８に嵌合するので、該和式便器用椅子２の安定性が高い。
また、上記の和式便器用椅子２は一体品であり、構造がシンプルであるため、製造コストを低く抑えることができる。
【００１５】
該切欠き部５には切欠きカバー６が着脱可能に取り付けられているので、該和式便器用椅子２を和式便器１の向きに沿って使用する場合に、該切欠き部５を該切欠きカバー６で覆うことによって、該切欠き部５から臭気が外部へ漏れるのを防止することができるとともに、該和式便器用椅子２の美観を損なうことがない。
また、該収容凹部７には凹部カバー８が着脱可能に取り付けられているので、該和式便器用椅子２を９０度回転させて使用した場合、すなわち、該和式便器用椅子２を和式便器１の上に横向きに据え付けた場合に、該収容凹部７を該凹部カバー８で覆うことによって、該収容凹部７から臭気が外部へ漏れるのを防止することができるとともに、該和式便器用椅子２の美観を損なうことがない。
【００１６】
更に、該ガイド筒１１の下端開口部１０が略四角形状とされており、該ガイド筒１１の下端開口部１０の幅（対辺間寸法）が和式便器１の幅（左右側突縁２８の内寸）よりも小さく設定されているいるので、和式便器用椅子２は横向きに使用する場合でも、該ガイド筒１１の下端開口部１０が和式便器１の左右側突縁２８と干渉することがない（図６および図７参照）。
なお、該ガイド筒の下端開口部１０の形状は円形とされていてもよいが、大きな開口面積を確保して、汚物の付着によるガイド筒１０汚れを少なくすることができるので、該ガイド筒の下端開口部１０の形状は略四角形状のほうが好ましい。
【００１７】
以上、本発明の実施の形態を実施例により説明したが、本発明の範囲はこれらに限定されるものではなく、請求項に記載された範囲内において目的に応じて変更・変形することが可能である。
【００１８】
例えば、本実施例以外、図９に示すように、該周胴部４の左右側下縁には略四角形状の切欠き部５が四個設けられており、該切欠き部５には該切欠き部５の形状に対応した略四角形状の切欠きカバー６がそれぞれ回動可能かつ着脱可能に取り付けられていてもよい。
この場合、該切欠きカバー６の左右両側上縁部には回転軸２９が外側に向けて差し出されて設けられており、また、該周胴部４の切欠き部５の左右両側下縁部には当接片３０が内側に向けて差し出されて設けられている。
【００１９】
また、本実施例以外、図１０に示すように、該周胴部４の左右側下縁には略半円形状の切欠き部５が四個設けられており、該切欠き部５には該切欠き部５の形状に対応した略半円形状の切欠きカバー６がそれぞれ着脱可能に取り付けられていてもよい。
この場合、該切欠きカバー６の周縁部には当接段部３１が設けられており、該切欠きカバー６の左右両端部からは係止片３２が設けられており、該係止片３２の先端には係止爪３３が設けられている。一方、該周胴部４の切欠き部５の周縁部には当接段部３４が設けられており、該周胴部４の当接段部３４の一部には係止切欠き部３５が設けられている。
【産業上の利用可能性】
【００２０】
本発明は、安定性が高く、製造コストを低く抑えることができる和式便器用椅子として、産業上利用することが出来る。
【図面の簡単な説明】
【００２１】
【図１】和式便器用椅子の斜視図である。
【図２】和式便器用椅子の後側からの斜視図である。
【図３】和式便器用椅子の分解斜視図である。
【図４】切欠き部および切欠きカバーの分解斜視図である。
【図５】収容凹部および凹部カバーの分解斜視図である。
【図６】和式便器用椅子を和式便器の向きに沿って使用した状態を示す説明平面図である。
【図７】和式便器用椅子を和式便器の上に横向きに据え付けた状態を示す説明平面図である。
【図８】切欠き部および切欠きカバーの説明斜視図である。
【図９】他の実施例の切欠き部および切欠きカバーの説明斜視図である。
【図１０】更に他の実施例の切欠き部および切欠きカバーの説明斜視図である。
【符号の説明】
【００２２】
１  和式便器
２  和式便器用椅子
３  座面部
４  周胴部
５  切欠き部
６  切欠きカバー
７  収容凹部
８  凹部カバー
９  中央孔
１０  下端開口部
１１  ガイド筒
２７  前覆い部
２８  左右側突縁
【図１】
2006087721.tif 000003
【図２】
2006087721.tif 000004
【図３】
2006087721.tif 000005
【図４】
2006087721.tif 000006
【図５】
2006087721.tif 000007
【図６】
2006087721.tif 000008
【図７】
2006087721.tif 000009
【図８】
2006087721.tif 000010
【図９】
2006087721.tif 000011
【図１０】
2006087721.tif 000012